(57)【要約】【課題】  ユーザーの負担を軽減する。【解決手段】  装置１０Ａから指示書が入力されると、装置１２は、指示書に基づいてルール情報を取得する。ルール情報としては、装置１０Ｂ、１０Ｃの順にスキャンデータを配置して構成する等がある。この場合、装置１０Ａから入力された指示書で指示された処理（スキャン）と当該処理後のデータの送信先として装置１２とを指示する新たな指示書を装置１０Ｂ、１０Ｃに出力配信する。装置１０Ｂ、１０Ｃは、入力した新たな指示書にしたがって文書のスキャンを実行する。各装置１０Ｂ、１０Ｃで、文書がスキャンされると、スキャンデータを装置１２に出力する。装置１２では、ルール情報に従い、処理実行装置１０Ｂ、１０Ｃからのスキャンデータを、装置１０Ｂ、１０Ｃの順に配置し、配置後のデータを、最初の指示書で指示された送信先であるクライアント１４に送信する。【選択図】        図７
2005189952.tif 000002
【特許請求の範囲】
【請求項１】
第１の処理及び該第１の処理後のデータの出力先を指示する指示記述と、処理後のデータと、を入出力する入出力手段と、
複数の処理実行手段各々により第１の処理が実行された後のデータの第２の処理の内容を定める規則を記憶する記憶手段と、
前記入出力手段により指示記述が入力された場合、該指示記述に従って複数の処理実行手段各々で前記第１の処理が実行されるように各処理実行手段に命令し、該命令により複数の処理実行手段各々により前記第１の処理が実行された場合には、前記記憶手段に記憶された規則に従って複数の処理実行手段各々により第１の処理が実行された後のデータに対し第２の処理を実行し、該第２の処理が実行された後のデータを、前記指示記述により指示された出力先に出力するように前記入出力手段を制御する制御手段と、
を備えた指示記述処理装置。
【請求項２】
前記制御手段は、前記入出力手段により入力された指示記述で指示された第１の処理及び第１の処理後のデータの送信先として前記指示記述処理装置を指示する新たな指示記述を前記処理実行手段に送信することにより、処理実行手段に命令することを特徴とする請求項１記載の指示記述処理装置。
【請求項３】
前記入出力手段により入力された指示記述に従って第１の処理を実行する処理実行手段を更に備え、
前記制御手段は、前記複数の処理実行手段の１つとして前記更に備えた処理実行手段に前記第１の処理が実行されるように命令する、
ことを特徴とする請求項１又は請求項２記載の指示記述処理装置。
【発明の詳細な説明】
【技術分野】
【０００１】
本発明は、指示記述処理装置にかかり、特に、処理および処理後のデータの出力先を指示する指示記述を処理する指示記述処理装置に関する。
【背景技術】
【０００２】
従来、文書のスキャンまたはファックス受信等の処理を実行する処理実行装置（デバイスなど）は、処理と処理後のデータの送信先と、を指示する指示書を複数記憶し、記憶した複数の指示書を表示し、一つの指示書がユーザーにより選択されると、指示書で指示された処理を実行する。例えば、指示書により文書をスキャンする処理が指示されている場合には、処理実行装置は、文書をスキャンし、スキャンデータを、指示された送信先であるクライアントに送信する。
しかしながら、従来の処理実行装置では、大量の文書をスキャンすると時間がかかるので、大量の文書を分割し、複数の処理実行装置で、分散してスキャンすることが考えられる。即ち、ネットワーク上に分散してスキャンする技術が開示されている（特許文献１参照）。
【０００３】
この場合、従来では、ユーザーは、各処理実行装置で、分割された文章が指示書にしたがってスキャンされるようにするため、各処理実行装置で指示書を選択しなければならない。また、各処理実行装置でのスキャンデータを受け取ったクライアントでは、各処理実行装置でのスキャンデータを合成する処理が必要となる。即ち、クライアントの画面で、連結する文書とその順序をユーザが指示する必要があり、ユーザの負担が大きい。
【特許文献１】特開２０００−３１５１３０号公報
【発明の開示】
【発明が解決しようとする課題】
【０００４】
本発明は、上記事実に鑑みなされたもので、ユーザーの負担を軽減することを可能とする指示記述処理装置を提供することを目的とする。
【課題を解決するための手段】
【０００５】
上記目的を達成するために請求項１に記載の発明にかかる指示記述処理装置は、第１の処理及び、該第１の処理後のデータの出力先を指示する指示記述と、処理後のデータと、を入出力する入出力手段と、複数の処理実行手段各々により第１の処理が実行された後のデータの第２の処理の内容を定める規則を記憶する記憶手段と、前記入出力手段により指示記述が入力された場合、該指示記述に従って複数の処理実行手段各々で前記第１の処理が実行されるように各処理実行手段に命令し、該命令により複数の処理実行手段各々により前記第１の処理が実行された場合には、前記記憶手段に記憶された規則に従って複数の処理実行手段各々により第１の処理が実行された後のデータに対し、第２の処理を実行し、該第２の処理が実行された後のデータを、前記指示記述により指示された出力先に出力するように前記入出力手段を制御する制御手段と、を備えている。
【０００６】
本発明の入出力手段は、指示記述を入力する。指示記述は、第１の処理及び該第１の処理後のデータの出力先を指示するデータにより構成されている。
【０００７】
この指示記述は、例えば、処理実行装置側から本発明にかかる指示記述処理装置に入力するようにしてもよく、本発明にかかる指示記述処理装置が処理実行装置でもある（処理実行装置の機能を有する）場合には、自身が記憶手段に記憶する指示記述を入力（取り込む）ようにしてもよい。なお、具体的には、ユーザーが所定の操作により、指示記述を入力する指示を１回行う。
【０００８】
入出力手段により指示記述が入力されると、制御手段は、指示記述に従って複数の処理実行手段各々で第１の処理が実行されるように各実行手段に命令する。なお、制御手段は、請求項２のように、指示記述で指示された第１の処理及び第１の処理後のデータの送信先として本発明にかかる指示記述処理装置を指示する新たな指示記述を処理実行手段に送信することにより、処理実行手段に命令するようにしてもよい。
【０００９】
このように指示記述処理装置の制御手段により命令された場合には、各処理実行手段は、第１の処理を実行する。
【００１０】
ところで、記憶手段には、複数の処理実行手段各々により第１の処理が実行された後のデータの第２の処理の内容を定める規則を記憶している。
【００１１】
そこで、制御手段は、このように制御手段による命令により複数の処理実行手段各々により第１の処理が実行された場合には、記憶手段に記憶された規則に従って複数の処理実行手段各々により第１の処理が実行された後のデータを、指示記述により指示された出力先に出力するように入出力手段を制御する。
【００１２】
以上説明したように本発明では、第１の処理を指示する指示記述が入力されると、指示記述に従って複数の処理実行手段各々で第１の処理が実行されるように書く処理実行手段に命令し、複数の処理実行手段各々により第１の処理が実行された後のデータに対し、記憶手段に記憶された規則に従って第２の処理を実行し、第２の処理が実行された後のデータを、指示記述により指示された出力先に出力するようにしている。
【００１３】
このようにユーザーは１回の指示記述の入力を指示するだけで、指示記述処理装置は、第１の処理を複数の処理実行手段により実行させかつ複数の処理実行手段各々により第１の処理が実行された後のデータに対し、第２の処理を実行し、第２の処理が実行された後の最終のデータを、出力先に出力することができるので、ユーザーの負担を軽減することができる。
【００１４】
上記のように本発明にかかる指示記述処理装置が処理実行装置（処理実行装置の機能を有する）としてもよい。すなわち、請求項３のように、前記入出力手段により入力された指示記述に従って第１の処理を実行する処理実行手段を更に備え、前記制御手段は、前記複数の処理実行手段の１つとして前記更に備えた処理実行手段に前記第１の処理が実行されるように命令するようにしてもよい。
【発明の効果】
【００１５】
以上説明したように本発明によれば、ユーザーは１回の指示記述の入力を指示するだけでよく、これにより本発明の指示記述処理装置は、第１の処理を複数の処理実行手段により実行させかつ複数の処理実行手段各々により第１の処理が実行された後のデータに対し第２の処理を実行し、第２の処理が実行された後の最終データを、出力先に出力することができ、ユーザーの負担を軽減することができるという効果がある。
【発明を実施するための最良の形態】
【００１６】
以下、図面を参照して本発明の実施の形態の一例を詳細に説明する。
【００１７】
図１に示すように、本実施の形態にかかる指示記述処理システムは、処理実行手段としての複数の処理実行装置１０Ａ、１０Ｂ、１０Ｃと、指示記述処理装置としての指示書配信装置１２と、クライアント１４と、をネットワーク接続線１６を介して接続して構成されている。
【００１８】
次に、処理実行装置１０Ａ〜１０Ｃを説明する。なお、各処理実行装置１０Ａ〜１０Ｃは同一の構成であるので、以下、処理実行装置１０Ａ〜１０Ｃ各々を代表して処理実行装置１０として説明する。図２に示すように、処理実行装置１０（１０Ａ、１０Ｂ、１０Ｃ）は、ＣＰＵ２２、ＲＯＭ２４、ＲＡＭ２６、記憶装置２８、処理実行手段としての処理部３０、ネットワーク接続線１６に接続されたインターフェイス３２、および表示装置３６をバス３８を介して相互に接続して構成されている。
【００１９】
図３に示すように、指示書配信装置１２は、制御手段としてのＣＰＵ４２、ＲＯＭ４４、ＲＡＭ４６、記憶手段としての記憶装置４８およびネットワーク接続線１６に接続されかつ入出力手段としてのインターフェイス５０をバス５２を介して相互に接続して構成されている。
【００２０】
ここで、指示書配信装置１２の記憶装置４８に記憶されているルール情報を説明する。ルール情報は、上記複数の処理実行装置各々により、処理が実行された後のデータの処理の内容を定める規則である。ルール情報は、具体的には、図４に示すように、複数記憶している。各ルール情報はルールＩＤにより識別される。例えば、ルールＩＤ１により識別されるルール情報としては、処理実行装置１０Ａ〜１０Ｃの順にスキャンデータを配置して構成するというものである。また、ルールＩＤ２により識別されるルール情報は、処理実行装置１０Ｂ、１０Ｃの順にスキャンデータを配置して構成するなどである。
【００２１】
図５に示すように、クライアント１４は、ＣＰＵ５４、ＲＯＭ５６、ＲＡＭ５８、記憶装置６０、ネットワーク接続線１６に接続されたインターフェイス６２、および表示装置６４をバス６６を介して、相互に接続して構成されている。
【００２２】
次に本実施の形態の作用を説明する。なお、本実施の形態では、大量の文書を複数の処理実行装置１０Ｂ、１０Ｃで分散してスキャンする例を説明する。即ち、ユーザーは大量の文書を２つに分割し、それぞれを処理実行装置１０Ｂ、１０Ｃのスキャン部に載置する。
【００２３】
そして、ユーザーは、処理実行装置１０Ａにおいて指示書の入力操作をする。すなわち、表示装置３６に、単一処理及び分散処理のメニューが表示され、ユーザーがいずれか一方を選択する。分散処理メニューがＯＮされると、予め記憶された複数の指示書が表示され、ユーザーはそのうちの一つの指示書をタッチすることにより選択する。このようにユーザーにより指示書が選択されると、処理実行装置１０Ａは、選択された指示書を指示書配信装置１２に出力する。
【００２４】
ここで、指示書（指示記述（データによって構成されている））では、処理（第一の処理、スキャン）と、ルールＩＤ、および処理後のデータの送信先（クライアント１４）を指示している。
【００２５】
図７に示すように処理実行装置１０Ａから指示書が入力されると、指示書配信装置１２は、図６に示す指示記述処理実行プログラムをスタートする。このプログラムがスタートすると、ステップ７２で、処理実行装置１４から出力された指示書からルール情報を識別するルールＩＤを抽出する。
【００２６】
次のステップ７４で、ルールＩＤにより識別されたルール情報に従って、指示書を配信する。例えば、本実施の形態では、ルールＩＤ２が指示されており、したがって、図４に示すようにルール情報としては、処理実行装置１０Ｂ、１０Ｃの順にスキャンデータを配置して構成することが指示される。よって、処理実行装置１０Ａから入力された指示書で指示された処理（スキャン）と当該処理後のデータの送信先として指示書配信装置１２とを指示する新たな指示書を処理実行装置１０Ｂ、１０Ｃに出力配信する。
【００２７】
このように新たな指示書が出力されると、処理実行装置１０Ｂ、１０Ｃは、入力した新たな指示書にしたがって上記ユーザーによりスキャン部に栽置された文書の処理（スキャン）を実行する。各処理実行装置１０Ｂ、１０Ｃで、文書に、指示書で指示された処理（スキャン）が実行されると、処理後のデータ、すなわちスキャンデータを、上記新たな指示書で出力先として指示された指示書配信装置１２に出力する。これにより、図６におけるステップ７６が実行される。
【００２８】
次のステップ７８で、処理実行装置１０Ｂ、１０Ｃからのスキャンデータを、ルール情報に従って処理する。すなわち、上記例では、処理実行装置１０Ｂ、１０Ｃのスキャンデータを、処理実行装置１０Ｂ、１０Ｃの順に配置して構成する。
【００２９】
そして、ステップ８０で、処理後のデータを、最初の指示書で指示された送信先であるクライアント１４に送信して、本処理を終了する。
【００３０】
以上説明したように、ユーザーは１回の指示書の入力の指示をするだけで、処理を複数の処理実行装置により、実行させ、複数の処理実行装置各々により処理を実行された後のデータをルール情報に従って処理し、ルール情報に従って処理された最終のデータも、出力先に出力することができ、ユーザーの負担を軽減することができる。
【００３１】
なお、上記実施の形態では、処理実行装置と指示書配信装置とを備えているが、本発明はこれに限定されず、処理実行装置が指示書配信装置の機能を有するようにしてもよい。この場合、指示書に従って、複数の処理実行装置で処理が実行されるように命令する際に、自身の処理部に命令するようにしてもよい。
【図面の簡単な説明】
【００３２】
【図１】本実施の形態にかかる指示記述処理システムのブロック図である。
【図２】処理実行装置のブロック図である。
【図３】指示書配信装置のブロック図である。
【図４】指示書配信装置の記憶装置に記憶されているルール情報を示すテーブルである。
【図５】クライアントのブロック図である。
【図６】指示書配信装置が実行する指示記述処理実行プログラムを示すフローチャートである。
【図７】本実施の形態の作用を説明する説明図である。
【符号の説明】
【００３３】
１０Ａ、１０Ｂ、１０Ｃ処理実行装置
１２指示書配信装置
１４クライアント
【図１】
2005189952.tif 000003
【図２】
2005189952.tif 000004
【図３】
2005189952.tif 000005
【図４】
2005189952.tif 000006
【図５】
2005189952.tif 000007
【図６】
2005189952.tif 000008
【図７】
2005189952.tif 000009